(57)【特許請求の範囲】
【請求項１】
左右方向へ広がる基材走行路が前後方向へ貫通するノズル収納室と、該基材走行路を挟んで対向するように該ノズル収納室内に収納した一方のノズル群及び他方のノズル群と、該一方のノズル群に熱風を供給するものであって、送風機より下流側に熱交換器を配置した一方の熱風循環装置と、該他方のノズル群に熱風を供給するものであって、送風機より下流側に熱交換器を配置した他方の熱風循環装置とを備えた乾燥装置において、前記ノズル収納室の左右外側のいずれか一方に、前記一方の熱風循環装置と前記他方の熱風循環装置とを前後に振り分けて配置し、前記両方の熱風循環装置の各々は、循環用送風機と、該送風機の吐出側に配置した熱交換器と、該熱交換器より下流側に形成した通風路とを備え、これら送風機どうしを離反させると共にこれら熱交換器どうしを接近させ、一方の送風機を上吹出し形式にすると共に他方の送風機を下吹出し形式とし、これら通風路どうしを上下に隣接させたたことを特徴とする乾燥装置。
【発明の詳細な説明】
【０００１】
【発明の属する技術分野】
本発明は、基材走行路を走行するシート状基材の両面に熱風を吹き付ける乾燥装置に備えらる熱風循環装置の改良に関するものである。
【０００２】
【従来の技術】
従来、シート状基材の両面に吹き付ける熱風の条件を両面で相違させることができるようにするために、二組の熱風循環装置を備えた乾燥装置としては、特公平６−３５７０８号公報及び特公平６−３５７０９号公報に記載されたものがある。これら公報に記載されている乾燥装置１は、図６及び図７に示す如く、左右方向へ広がる基材走行路Ｒが前後方向へ貫通する収納室２と、基材走行路Ｒを挟んで対向するように収納室２内に収納した一方のノズル群３及び他方のノズル群４と、一方のノズル群３に熱風を供給するものであって、送風機５より下流側に熱交換器６を配置した一方の熱風循環装置７と、他方のノズル群４に熱風を供給するものであって、送風機８より下流側に熱交換器９を配置した他方の熱風循環装置１０とを備えている。この乾燥装置１は、収納室２内の上下に、一方の熱風循環装置７及び他方の熱風循環装置１０を収納してある。
【０００３】
【発明が解決しようとする課題】
しかし、従来の乾燥装置１は、ノズル群３と熱風循環装置７とを重ねるように組み合わせると共に、ノズル群４と熱風循環装置１０とを重ねるように組み合わせ、これら組み合わせたものを収納室２内の上下に収納するので、収納室２内の内部構造が複雑になって保守点検が困難になると共に、乾燥装置の上下の高さ寸法Ｈが大きくって背丈の高い設置用空間が必要になる。
【０００４】
そこで、本発明は、上記問題を解決するたに両方のノズル群を収納するノズル収納室の内部構造を簡単にすることができると共に、乾燥装置の上下の高さ寸法を小さくすることができる乾燥装置の提供を目的とする。
【０００５】
【課題を解決するための手段】
両方のノズル群を収納するノズル収納室の内部構造を簡単にすると共に乾燥装置の上下の高さ寸法を小さくするために本発明が採用した手段は、左右方向へ広がる基材走行路が前後方向へ貫通するノズル収納室と、該基材走行路を挟んで対向するように該ノズル収納室内に収納した一方のノズル群及び他方のノズル群と、該一方のノズル群に熱風を供給するものであって、送風機より下流側に熱交換器を配置した一方の熱風循環装置と、該他方のノズル群に熱風を供給するものであって、送風機より下流側に熱交換器を配置した他方の熱風循環装置とを備えた乾燥装置において、前記ノズル収納室の左右外側のいずれか一方に、前記一方の熱風循環装置と前記他方の熱風循環装置とを前後に振り分けて配置し、前記両方の熱風循環装置の各々は、循環用送風機と、該送風機の吐出側に配置した熱交換器と、該熱交換器より下流側に形成した通風路とを備え、これら送風機どうしを離反させると共にこれら熱交換器どうしを接近させ、一方の送風機を上吹出し形式にすると共に他方の送風機を下吹出し形式とし、これら通風路どうしを上下に隣接させたたことを特徴とする乾燥装置である。
【０００６】
本発明にあっては、ノズル収納室の外側に、両方の熱風循環装置を前後に振り分けるように配置することにより、ノズル収納室の内部構造を簡単にできると共に乾燥装置の上下の高さ寸法を小さくすることができる。
【０００８】
本発明にあっては、両方の熱風循環装置は、送風機の吹出しを上下逆にすることにより熱交換器より下流の通風路どうしを上下に形成することができる。通風路どうしを上下に隣接させて重ね合わせた領域を形成することにより、両方の熱風循環装置は組み合わせた全体の前後寸法が短くなってコンパクトにできる。
【０００９】
【発明の実施の形態】
以下、本発明を図面に示す実施の形態に基づいて説明する。図１乃至図５は本発明に係る乾燥装置の実施の形態を示すものであって、図１は中間省略すると共に図中右側を断面した乾燥装置全体の平面図、図２は部分断面した左側面図、図３は図１のＡ−Ａ線で断面して中間省略した正面図、図４は図１のＢ−Ｂ線で断面した側面図、図５は右側面図である。
【００１０】
本実施の形態に係る乾燥装置１１は、左側のノズル収納室１２と右側の循環装置収納室１３とを接合して一体化してある。ノズル収納室１２は、左右方向へ広がる基材走行路Ｒを前後方向へ貫通させ、室内１２ａに、基材走行路Ｒを挟んで対向する一方（上方）のノズル群１４及び他方（下方）のノズル群１５を収納配置してある。上方のノズル群１４は、左右方向へ延びる複数本のノズル箱１６を前後方向へ適宜間隔で配列し、各ノズル箱１６を分岐ダクト１７に通気可能に接合して構成してある。下方のノズル群１５は、左右方向へ延びる複数本のノズル箱１６を前後方向へ適宜間隔で配列し、各ノズル箱１６を分岐ダクト１８に通気可能に接合して構成してある。ノズル収納室１２は、上下のノズル群１４，１５の境界部より外側となる左右両側に配置した仕切板４８，４９で室内１２ａを上下に区画してある。上方のノズル群１４の各ノズル箱１６から吹出した後に室内１２ａを還流する熱風と、下方のノズル群１５の各ノズル箱１６から吹出した後に室内１２ａを還流する熱風とは、室内１２ａの区画された上下域をそれぞれ通過するため混合することはない。この仕切板４８，４９は、上下のノズル群１４，１５に供給する熱風の温度等の条件が異なる場合に、特に有効となる。
【００１１】
前記各ノズル箱１６は、基材走行路Ｒと対面する表面側に、左右方向へ延びるスリット状等の吹出口（図示略）が開設され、分岐ダクト１７（又は１８）から供給されてきた熱風を吹出口から吹き出して、基材走行路Ｒを走行するシート状基材Ｓに吹き付けるようにしてある。基材走行路Ｒを走行するシート状基材Ｓは、上下のノズル群１４，１５の各ノズル箱１６から吹き出す熱風を受けて、浮揚状態で乾燥処理される。前後に隣接するノズル箱１６，１６の間には、乾燥処理後の熱風を通過させるための還流空間１９が形成されている。還流空間１９に整流板（図示略）を取り付けることにより、還流する熱風の風速を均一化することができる。なお、下方のノズル群１５は、基材走行路Ｒへ最初にシート状基材Ｓを通す作業が容易となるように、昇降自在に配置することもある。
【００１２】
前記右側の循環装置収納室１３は、その室内１３ａに、一方（上方）のノズル群１４に熱風を供給するための一方の熱風循環装置２１と、他方（下方）のノズル群１５に熱風を供給するための他方の熱風循環装置２２とを、前後に振り分て配置してある。乾燥装置１１は、ノズル収納室１２の外側に設けた循環装置収納室１３に両方の熱風循環装置２１，２２を配置することにより、ノズル収納室１２の内部構造を簡単にできると共に、熱風循環装置２１，２２を前後に振り分けて配置することにより、循環装置収納室１３の上下の高さ寸法Ｈを小さくして乾燥装置１１の全体の背丈を低くすることができる。
【００１３】
前記熱風循環装置２１は、熱風循環用送風機２３と、送風機２３の下流側（吐出側）に配置した熱交換器２４と、熱交換器２４より下流側に形成した通風路２５とを備えている。前記熱風循環装置２２は、熱風循環装置２１と同様に、熱風循環用送風機２６と、送風機２６の下流側（吐出側）に配置した熱交換器２７と、熱交換器２７より下流側に形成した通風路２８とを備えている。通風路２５，２８は、ノズル収納室内１２ａとの間に設けた仕切板２９に、通気口３１，３２が開設されている。一方の熱風循環装置２１の通気口３１は、一方（上方）のノズル群１４の分岐ダクト１７に、ダクト３３を用いて連通してある。他方の熱風循環装置２２の通気口３２は、他方（下方）のノズル群１５の分岐ダクト１８に、ダクト３４を用いて連通してある。
【００１４】
前記送風機２３は、かたつむり状のケーシング２３ａと、ケーシング２３ａ内に収納された回転自在なファンロータ２３ｂと、ファンロータ２３ｂを回転駆動するモータ２３ｄとからなる。送風機２３は、左右方向へ延びる回転軸２３ｃを中心としてファンロータ２３ｂを回転させる遠心式が選択される。送風機２３は、ノズル収納室内１２ａに吸込口２３ｅを臨ませると共に、吐出口２３ｆ側に熱交換器２４を接続してある。熱交換器２４は、管（図示略）内に加熱媒体である蒸気又は加熱油等を通過させることにより、管外を通過する空気と加熱媒体との間で熱交換させて、送風機２３から送られてきた空気を加熱するようにしてある。
【００１５】
前記送風機２６は、前記送風機２３と同様に、かたつむり状のケーシング２６ａと、ケーシング２６ａ内に収納された回転自在なファンロータ２６ｂと、ファンロータ２６ｂを回転駆動するモータ２６ｄとからなる。送風機２６は、左右方向へ延びる回転軸２６ｃを中心としてファンロータ２６ｂを回転させる遠心式が選択される。送風機２６は、ノズル収納室内１２ａに吸込口２６ｅを臨ませると共に、吐出口２６ｆ側に熱交換器２７を接続してある。熱交換器２７は、管（図示略）内に加熱媒体である蒸気又は加熱油等を通過させることにより、管外を通過する空気と加熱媒体との間で熱交換させて、送風機２６から送られてきた空気を加熱するようにしてある。
【００１６】
前記両方の熱風循環装置２１，２２は、これら送風機２３，２６どうしを離反させると共にこれら熱交換器２４，２７どうしを接近させ、更に一方の熱風循環装置２１の送風機２３を上吹出し形式にすると共に他方の熱風循環装置２２の送風機２６を下吹出し形式とし、これら通風路２５，２８どうしを仕切板３０で区画して上下に隣接してある。両方の熱風循環装置２１，２２は、送風機２３，２６の吹出しを上下逆にすることにより、下流の各通風路２５，２８どうしを上下に隣接させて重ね合わせた領域を形成することができ、組み合わせた全体の前後寸法が短くなってコンパクトになる。
【００１７】
前記乾燥装置１１は、型鋼材等で枠組みした装置本体フレーム（図示略）の外側面を仕切板で覆う等して、ノズル収納室１２及び循環装置収納室１３の外側壁４１〜４６を形成し、室内１２ａ，１３ａと室外とを外側壁４１〜４６で遮断してある。前後の外側壁４１，４２の各々には、基材走行路Ｒが貫通する開口部３５，３６を開設してある。左側の外側壁４３には、ノズル収納室内１２ａの観察や保守点検等を行うための開閉扉３７，３７を設けてある。右側の外側壁４４には、熱風循環装置２１，２２の内部を点検するための点検扉３８，３８を着脱自在に設けてある。上側の外側壁４５には、熱風循環装置２１，２２の送風機２３，２６の吸込口２３ｅ，２６ｅへ新鮮外気を供給するための給気口３９，３９を設けてある。上下両側の外側壁４５，４６の各々には、ノズル収納室内１２ａの上下に区画された還流域を通過する熱風の一部を排出するための排気口４０を設けてある。
【００１８】
前記乾燥装置１１は、熱風循環装置２１，２２の送風機２３，２６を起動することにより、熱風循環装置２１の送風機２３から送風されて熱交換器２４で加熱した熱風を、ダクト３３で上方のノズル群１４へ供給して各ノズル箱１６から走行中のシート状基材Ｓの一方の表面（上面）に吹付けると共に、熱風循環装置２２の送風機２６から送風されて熱交換器２７で加熱した熱風を、ダクト３４で下方のノズル群１５へ供給して各ノズル箱１６から走行中のシート状基材Ｓの他方の表面（下面）に吹付けることにより、シート状基材Ｓを浮揚状態で支持しつつシート状基材Ｓに対する乾燥処理を行う。シート状基材Ｓの上下各面に吹付けられた熱風の各々は、ノズル収納室内１２ａの上下の還流域を通過し、その一部が排気口４０から排出されると共に、排出されなかった残部と給気口３９から供給された新鮮外気とが混合されて送風機２３（又は２６）の吸込口２３ｅ（又２６ｅ）へ吸引される。
【００１９】
前記乾燥装置１１は、基材走行路Ｒが水平となる姿勢で配置される以外に、図示は省略したが、基材走行路Ｒが傾斜又は垂直となる姿勢で配置されることもある。
【００２０】
【発明の効果】
本発明乾燥装置は、両方のノズル群を収納するノズル収納室の内部構造を簡単にできることにより、ノズル収納室の保守点検が容易となり、また乾燥装置の上下の高さ寸法を小さくできることにより、背丈の高い設置用空間を必要としない。
【００２１】
また、本発明乾燥装置は、両方の熱風循環装置の全体の前後寸法を短くできるため、乾燥装置全体をコンパクトにすることが可能となる。
【図面の簡単な説明】
【図１】本発明に係る乾燥装置の実施の形態を示すものであって、中間省略すると共に図中右側を断面した平面図である。
【図２】同実施の形態を示すものであって、部分断面した左側面図である。
【図３】図１のＡ−Ａ線で断面して中間省略した正面図である。
【図４】図１のＢ−Ｂ線で断面した側面図である。
【図５】同実施の形態の右側面図である。
【図６】従来の乾燥装置の断面した左側面図である。
【図７】従来の乾燥装置の断面した正面図である。
【符号の説明】
Ｒ…基材走行路，１２…ノズル収納室、１２ａ…ノズル収納室内、１４…一方のノズル群、１５…他方のノズル群、２１…一方の熱風循環装置、２２…他方の熱風循環装置、２２，２６…送風機、２４，２７…熱交換器，２５，２８…通風路、３０…仕切板
【図１】
0004511005.tif 000002
【図２】
0004511005.tif 000003
【図３】
0004511005.tif 000004
【図４】
0004511005.tif 000005
【図５】
0004511005.tif 000006
【図６】
0004511005.tif 000007
【図７】
0004511005.tif 000008